(57)【特許請求の範囲】
【請求項１】
複数段で構成されるケース内にポンプ室を形成するダイヤフラムを備えた小型ポンプに於て、前記ケースを構成する最下段ケースの長手方向両側面上端に上方に突出して最上段ケースに及ぶ弾性体から成る突出部を該最下段ケースと一体に設けると共に、該突出部先端部に係止部を形成し、一方、前記最下段ケースよりも上方段のケースの長手方向両側面に前記突出部を嵌合させるための凹溝を設けると共に、前記最上段ケースに前記係止部を係合させるための係合部を設け、前記上下複数段のケースを重ね合わせると共に、前記突出部を前記凹溝に嵌合させ、且つ、前記係止部を前記係合部に係合させることによって前記上下複数段のケースを組立固定することを特徴とする小型ポンプのケース組立固定方法。
【発明の詳細な説明】
【０００１】
【発明の属する技術分野】
この発明は、小型ポンプのケース組立固定方法に関するものであり、特に、ダイヤフラムを用いた小型ポンプに於て、複数段に構成されたケースの組立部品点数を削減し、且つ、組立工数を低減した小型ポンプのケース組立固定方法に関するものである。
【０００２】
【従来の技術及び発明が解決しようとする課題】
従来の此種小型ポンプのケース組立固定方法を図３及び図４に従って説明する。図３（ａ）は小型ポンプのケースの正面図を示し、図３（ｂ）は小型ポンプのケースの側面図を示す。図３に於て１は小型ポンプのケースであり、該ケース１は平面視長方形に形成され、且つ、上段ケース２、中段ケース３及び下段ケース４から成る３段に構成されている。
【０００３】
そして、斜めに折曲された係止部５ａ，５ａ，５ａ，５ａが上端部に設けられた略逆Ｍ字形状を有する弾性体から成る止め金具５，５によって、前記３段に重ねられた上段ケース２、中段ケース３及び下段ケース４は長手方向両端近傍を挟着されて固定されている。尚、前記上段ケース２、中段ケース３及び下段ケース４の長手方向両端近傍には前記止め金具５，５を嵌合させる凹溝６，７，８が形成され、前記上段ケース２の上端部には前記止め金具５，５の前記係止部５ａ，５ａ，５ａ，５ａを係合させるための係合部２ａ，２ａ，２ａ，２ａが斜欠されて形成されている。又、図に於て符号９は排気筒であり、１０はダイヤフラム（図示せず）を保持する保持孔である。
【０００４】
而して、前記ケース１を組立固定する場合は、図４に示す如く、個別に作成された前記上段ケース２、中段ケース３、下段ケース４及び止め金具５，５を準備し、先ず、該下段ケース４に該中段ケース３を重ね、該中段ケース３に該上段ケース２を重ねた後、前記止め金具５，５を前記下段ケース４の長手方向両端近傍の下方から前記下段ケース４，中段ケース３及び上段ケース２の前記凹溝６，７，８に嵌合させ、更に、前記係止部５ａ、５ａ，５ａ，５ａを前記係合部２ａ，２ａ，２ａ，２ａに係合させて前記止め金具５，５で前記上段ケース２、中段ケース３及び下段ケース４を挟着固定し、図３の如く、小型ポンプのケース１の組立固定を完成する。
【０００５】
尚、前記組立、固定作業中に於て、前記小型ポンプに必要なダイヤフラム及び揺動体等（図示せず）が前記ケース１内に適宜収納される。又、前記止め金具５，５の嵌め込みは取付け治具（図示せず）を用いて行われる。
【０００６】
然しながら、前記小型ポンプのケース１の組立固定方法に於ては、前述の如く２個の止め金具５，５が必要となるため組立部品点数が多くなり、又、組立時に該止め金具５，５を取付けるための治具が必要であり、更に、組立に時間がかかる等の問題があった。
【０００７】
そこで、小型ポンプのケースに於て、組立部品点数を削減すると共に、組立のための治具を用いることなく、容易、且つ、短時間に組立ができるようにするために解決すべき技術的課題が生じてくるのであり、本発明はこの課題を解決することを目的とする。
【０００８】
【課題を解決するための手段】
本発明は上記目的を達成するために提案されたものであり、複数段で構成されるケース内にポンプ室を形成するダイヤフラムを備えた小型ポンプに於て、前記ケースを構成する最下段ケースの長手方向両側面上端に上方に突出して最上段ケースに及ぶ弾性体から成る突出部を該最下段ケースと一体に設けると共に、該突出部先端部に係止部を形成し、一方、前記最下段ケースよりも上方段のケースの長手方向両側面に前記突出部を嵌合させるための凹溝を設けると共に、前記最上段ケースに前記係止部を係合させるための係合部を設け、前記上下複数段のケースを重ね合わせると共に、前記突出部を前記凹溝に嵌合させ、且つ、前記係止部を前記係合部に係合させることによって前記上下複数段のケースを組立固定するようにした小型ポンプのケース組立固定方法を提供するものである。
【０００９】
【発明の実施の形態】
以下、本発明の一実施の形態を図１及び図２に従って詳述する。図１（ａ）は小型ポンプのケースの正面図を示し、図１（ｂ）は小型ポンプのケースの側面図を示す。図１に於て１１は小型ポンプのケースであり、該ケース１１は平面視長方形に形成され、且つ、上段ケース１２、中段ケース１３及び下段ケース１４の３段に構成されている。尚、該ケース１１は該３段構成に限定されるものではない。又、前記上段ケース１２はそりに対する強度を高め、エアー漏れを防止するため、従来例に比較して板厚が厚く形成されている。
【００１０】
そして、前記下段ケース１４の長手方向両側面上端に上方に突出して前記上段ケース１２に及ぶ突出部１５，１５が設けられと共に、該突出部１５，１５先端部に夫々前記下段ケース１４の長手方向中心部に向かって突設し、且つ、下面が先端部に向かって下方に斜設された係止部１５ａ，１５ａが設けられ、一方、前記中段ケース１３及び上段ケース１２の長手方向両側面に前記突出部１５，１５を嵌合させるための凹溝１６，１６，１７，１７が形成され、更に、前記上段ケース１２の上端部に前記係止部１５ａ，１５ａを係合させるための係合部１２ａ，１２ａが斜欠されて設けられている。尚、前記下段ケース１４は弾性体の合成樹脂で形成され、前記突出部１５，１５は該下段ケース１４と一体に成形される。
【００１１】
又、図２に示す如く、前記下段ケース１４の上端に凸部１８，１８が離間して設けられ、前記中段ケース１３の下端に前記凸部１８，１８と嵌合させるための凹部１９，１９が設けられ、更に、該中段ケース１３の上端に凸部２０，２０が離間して設けられ、前記上段ケース１２の下端に前記凸部２０，２０と嵌合させるための凹部２１，２１が設けられる。尚、図に於て符号２２は排気筒である。
【００１２】
而して、前記ケース１１を組立固定する場合は、個別に作成された前記上段ケース１２、中段ケース１３及び下段ケース１４を準備し、先ず、該下段ケース１４に設けた前記突出部１５，１５を拡幅して、該突出部１５，１５に該中段ケース１３に設けた前記凹溝１６，１６を嵌合させ、更に、前記下段ケース１４に設けた凸部１８，１８に前記中段ケース１３に設けた前記凹部１９，１９を嵌合させて前記下段ケース１４に前記中段ケース１３を重ね、同様にして該中段ケース１３に前記上段ケース１２を重ねた後、前記係止部１５ａ，１５ａを前記上段ケース１２に設けた前記係合部１２ａ，１２ａに係合させて前記ケース１１の組立固定を完成する。
【００１３】
尚、前記組立、固定作業中に前記小型ポンプに必要なダイヤフラム及び揺動体等が前記ケース１１内に適宜収納される。
【００１４】
斯くして、前記小型ポンプのケース１１は、組立、固定作業に用いられる前記突出部１５，１５が前記下段ケース１４と一体に成形されるため、組立部品点数の削減が可能となり、又、特別の治具を用いることなく、該突出部１５，１５によって組立、固定作業も容易となり、短時間に組立てが可能となる。
【００１５】
尚、本発明は、本発明の精神を逸脱しない限り種々の改変を為すことができ、そして、本発明が該改変されたものに及ぶことは当然である。
【００１６】
【発明の効果】
本発明は上記一実施の形態に詳述したように、複数段で構成されるケース内にダイヤフラムを備えた小型ポンプに於て、前記ケースを構成する最下段ケースの長手方向両側面上端に上方に突出する突出部を該最下段ケースと一体に設けると共に、該突出部先端部に係止部を形成し、一方、前記最下段ケースよりも上方段のケースの長手方向両側面に凹溝を設けると共に、前記最上段ケースに係合部を設けたから、前記上下複数段のケースを重ね合わせると共に、前記突出部を前記凹溝に嵌合させ、且つ、前記係止部を前記係合部に係合させることによって前記上下複数段のケースを組立固定することが可能となる。
【００１７】
斯くして、本発明は、小型ポンプのケースに於て、組立、固定作業に用いられる突出部が最下段ケースと一体に成形されるため、組立部品点数を削減できると共に、特別の治具を用いることなく該突出部によって組立固定が容易になり、短時間に組立ができる等、正に著大なる効果を奏する発明である。
【図面の簡単な説明】
【図１】（ａ）本発明の一実施の形態を示し、小型ポンプのケース正面図。
（ｂ）本発明の一実施の形態を示し、小型ポンプのケース側面図。
【図２】（ａ）〜（ｃ）図１に示す小型ポンプのケースの分解図。
【図３】（ａ）従来例を示し、小型ポンプのケース正面図。
（ｂ）従来例を示し、小型ポンプのケース側面図。
【図４】（ａ）〜（ｄ）図３に示す小型ポンプのケースの分解図。
【符号の説明】
１１          ケース
１２ａ        係合部
１５          突出部
１５ａ        係止部
１６，１７    凹溝
【図１】
0004419304.tif 000002
【図２】
0004419304.tif 000003
【図３】
0004419304.tif 000004
【図４】
0004419304.tif 000005